(57)【特許請求の範囲】
【請求項１】
モバイルデバイスのMDT（minimization  of  drive  test）を処理する方法であって、
第１の無線アクセス技術（RAT）からMDT測定構成を受信するステップと、
前記MDT測定構成のタイマ値に対応するMDT測定ログ記録のタイマを開始するステップと、
前記モバイルデバイスが前記第１のRATから第２のRATに移動するためにinter-RAT手順を実行するときに、前記タイマを動作させ続けるステップと
を有する方法。
【請求項２】
前記モバイルデバイスが前記第１のRATから前記第２のRATに移動するために前記inter-RAT手順を実行するときに、前記タイマを動作させ続けるステップは、
前記モバイルデバイスが前記第１のRATから前記第２のRATに移動するために前記inter-RAT手順を実行するときに、前記タイマを中止しないことを有する、請求項１に記載の方法。
【請求項３】
前記タイマが終了したときに、前記MDT測定ログ記録を中止するステップを更に有する、請求項１に記載の方法。
【請求項４】
モバイルデバイスのMDT（minimization  of  drive  test）を処理する方法であって、
第１の無線アクセス技術（RAT）からMDT測定構成を受信するステップと、
前記MDT測定構成のタイマ値に対応するMDT測定ログ記録のタイマを開始するステップと、
前記モバイルデバイスが前記第１のRATから第２のRATに移動するためにinter-RAT手順を実行するときに、前記タイマを開始／再開するステップと
を有する方法。
【請求項５】
前記モバイルデバイスが前記第１のRATから前記第２のRATに移動するために前記inter-RAT手順を実行するときに、前記タイマを開始／再開するステップは、
前記モバイルデバイスが前記第１のRATから前記第２のRATに移動するために前記inter-RAT手順を実行し、開始した前記タイマを中止したときに、開始した前記タイマの残りのタイマ値を用いて前記タイマを開始／再開することを有する、請求項４に記載の方法。
【請求項６】
前記タイマが終了したときに、前記MDT測定ログ記録を中止するステップを更に有する、請求項４に記載の方法。
【発明の詳細な説明】
【技術分野】
【０００１】
無線通信で利用される方法及び関係する通信デバイスが開示される。より具体的には、無線通信システムでの無線アクセス技術の変更においてMDT（minimization  of  drive  test）を処理する方法に関する。
【背景技術】
【０００２】
カバレッジは、ユーザが端末ユーザインタフェース（UI：user  interface）を通じて容易に気付くことができるものであり（すなわち、サービス範囲外の表示）、異なるオペレータにより提供されるサービスを比較するときにユーザが考慮する主要な基準である。データサービス提供の増加により、下りリンクスループットも、多くのユーザがネットワークの性能を判断する重要な基準になっている。悪い上りリンクカバレッジは、呼設定の失敗／呼の中断／悪い上りリンク音声品質に関してユーザ経験に影響を与える。
【先行技術文献】
【非特許文献】
【０００３】
【非特許文献１】3GPP  TSG-RAN  WG2  Meeting  #7bis  R2-105880,  “Introduction  of  Minimization  of  Drive  Tests”,  2010/10/11
【非特許文献２】3GPP  TSG-RAN  WG2  Meeting  #71bis  R2-105879,  “Introduction  of  Minimization  of  Drive  Tests”,  2010/08/11
【発明の概要】
【発明が解決しようとする課題】
【０００４】
従って、オペレータのネットワークが提供するカバレッジ／スループットをオペレータが認識することは非常に重要であり、このような情報を収集するために、厳格な“運転テスト（drive  test）”実行される。しかし、考慮しなければならないものは、ネットワーク最適化の目的のための運転テストが高コストであり、また、更なるCO2放出を生じることである。従って、3GPPにおいてネットワーク配置及び動作のためのオペレータのコストを低減するために、フィールド内のUEの関与を含む自動化された対策を開発することが望まれる。従って、オペレータのネットワーク維持管理コストを低減し、高いユーザ満足度を生じる高速の最適化サイクルを確保し、それにも拘らず環境を保護するために炭素の放出を低減するために、測定を含むMDT（minimization  of  drive  test）機能（運転テスト最小化機能）が、UEによりアイドルモード又は接続モードで情報（又は測定ログと呼ばれる）を収集するために実行又はログ記録される。
【０００５】
MDT機能を有するUEがネットワーク（例えば、UMTS（Universal  Mobile  Telecommunications  System）のUTRAN（Universal  Terrestrial  Radio  Access  Network）又はLTE（Long-Term  Evolution）のE-UTRAN（Evolved  Universal  Terrestrial  Radio  Access  Network））からMDT測定構成メッセージを受信すると、UEは、MDTの目的のために測定ログ記録を実行し、同時に、MDT測定構成に従ってMDT測定ログ記録のタイマを開始する点に留意すべきである。更に、UEは、タイマが終了した場合にのみ、MDT測定ログ記録を中止する。
【０００６】
他方、inter-RAT（inter-radio  access  technology）モビリティ（無線アクセス技術間モビリティ）は、１つのRATから他のRATへのUEとネットワークとの間の接続又はモビリティの転送を含む。inter-RAT手順は、ハンドオーバ、リダイレクト、セル変更命令、セル選択又はセル再選択のために生じ得る。セル再選択の場合、UEは、異なるRAT（GSM（登録商標）（Global  System  for  Mobile  communications）/GPRS（Global  Packet  Radio  Service）、UMTS及びLTE等）を使用したセルの間でセルを再選択する。
【０００７】
しかし、従来技術のUMTS又はLTEシステムに基づく直接のイメージに基づいて、UEが、以下のようなRATの変更におけるMDT測定ログ記録に関連する問題に直面する可能性があることに気付いた。
【０００８】
第１のシナリオでは、3GPP仕様R2-105880に基づいて、UMTSシステムのUEがUTRANからMDT  LOGGING  CONFIGURATIONメッセージを受信すると、UEは、アイドルモード、CELL_PCH又はURA_PCH状態でMDT測定ログ記録を実行し、同時に、MDT測定ログ記録のタイマT326を開始する。他方、3GPP仕様TS25.311によれば、UEがinter-RAT手順（例えば、UTRANからのinter-RATセル選択／再選択、UTRANからのinter-RATハンドオーバ又はUTRANからのinter-RATセル変更）を実行し、ターゲットのRAT（例えば、GSM（登録商標）（Global  System  for  Mobile  Communications）/GPRS又はE-UTRAN（Evolved  Universal  Terrestrial  Radio  Access  Network））のセルの再選択に成功すると、UEは全てのUTRANに特有のリソースを解放する。従って、UEはタイマT326を中止する。この理由は、このタイマがUTRANに特有のリソースに関連するからである。このことは、UEがMDT測定構成を保持することにより、無限にログ記録を行うことを生じる。無限のログ記録のため、UEの電力及び記憶装置は消耗する。
【０００９】
第２のシナリオでは、3GPP仕様R2-105879に基づいて、LTEシステムのUEがE-UTRANからIdleLoggingConfigurationメッセージを受信すると、UEは、RRC（radio  resource  control）アイドルモードでMDT測定ログ記録を実行し、同時に、MDT測定ログ記録のタイマT330を開始する。更に、UEがE-UTRANからUTRAN、GERAN又はCDMA2000へのinter-RAT手順を実行すると、UEは、従来技術に従って全てのE-UTRANに特有のリソースを解放する。従って、UEはタイマT330を中止する。この理由は、このタイマがE-UTRANに特有のリソースに関連するからである。このことは、UEがMDT測定構成を保持することにより、無限にログ記録を行うことを生じる。無限のログ記録のため、UEの電力及び記憶装置は消耗する。
【課題を解決するための手段】
【００１０】
この出願は、前述の問題を解決するために、無線通信システムでの無線アクセス技術の変更においてMDT（minimization  of  drive  test）を処理する方法に関する。
【００１１】
モバイルデバイスのMDT（minimization  of  drive  test）を処理する方法が開示される。この方法は、第１のRATからMDT測定構成を受信し、MDT測定構成のタイマ値に対応するMDT測定ログ記録のタイマを開始し、モバイルデバイスが第１のRATから第２のRATに移動するためにinter-RAT手順を実行するときに、タイマを動作させ続ける。
【００１２】
モバイルデバイスのMDT（minimization  of  drive  test）を処理する方法が開示される。この方法は、第１の無線アクセス技術からMDT測定構成を受信し、MDT測定構成のタイマ値に対応するMDT測定ログ記録のタイマを開始し、モバイルデバイスが第１のRATから第２のRATに移動するためにinter-RAT手順を実行するときに、タイマを開始／再開する。
【発明の効果】
【００１３】
本発明によれば、例えば、無線通信システムでの無線アクセス技術の変更においてMDT（minimization  of  drive  test）を処理することが可能になる。
【図面の簡単な説明】
【００１４】
【図１】例示的な無線通信システムの概略図
【図２】例示的な通信デバイスの概略図
【図３】この開示による例示的な処理のフローチャート
【発明を実施するための形態】
【００１５】
本発明の前記及び他の目的は、様々な図面に例示された好ましい実施例の以下の詳細な説明を読んだ後に、当業者に明確に明らかになる。
【００１６】
一例による無線通信システム10の概略図を示す図１を参照する。簡単には、無線通信システム10は、ネットワークと複数のモバイルデバイスとで構成される。無線通信システム10は、UMTS（Universal  Mobile  Telecommunications  System）、LTE（long-term  evolution）システム又は他の同様のネットワークシステムでもよい。UMTSシステムでは、ネットワークは、複数の基地局（NodeB）を有するUTRAN（Universal  Terrestrial  Radio  Access  Network）と呼ばれることがあり、モバイルデバイスはユーザ装置（UE：user  equipment）と呼ばれる。UEは、携帯電話、コンピュータシステム等のようなデバイスでもよい。説明を簡略にするために、この用語がこの出願を通じて使用される。しかし、これは、この開示をいずれか１つの特定の種類のネットワークに限定するものとして解釈されるべきではない。或る例では、ネットワーク及びUEは、送信方向に従って送信機又は受信機として見なされてもよい。例えば、上りリンク（UL）では、UEが送信機であり、ネットワークが受信機である。下りリンク（DL）では、ネットワークが送信機であり、UEが受信機である。
【００１７】
図２は、例示的な通信デバイス20の概略図を示している。通信デバイス20は、図１に示すモバイルデバイス10でもよいが、ここでは限定されない。通信デバイス20は、マイクロプロセッサ又は特定用途向け集積回路（ASIC：Application  Specific  Integrated  Circuit）のような処理手段200と、記憶ユニット210と、通信インタフェースユニット220とを含んでもよい。記憶ユニット210は、処理手段200によりアクセスされるプログラムコード214を格納可能な如何なるデータ記憶デバイスでもよい。記憶ユニット210の例は、SIM（subscriber  identity  module）、読み取り専用メモリ（ROM）、フラッシュメモリ、ランダムアクセスメモリ（RAM）、CD-ROM、磁気テープ、ハードディスク及び光データ記憶デバイスを含むが、これらに限定されない。通信インタフェースユニット220は、無線トランシーバであることが好ましく、処理手段200の処理結果に従ってネットワークと無線信号を交換可能である。
【００１８】
例示的な処理30のフローチャートを示す図３を参照する。処理30は、MDT機能を有するUEで利用される。UEは、複数の無線アクセス技術（RAT：radio  access  technology）と互換性があり、図２の通信デバイス20でもよい。処理30は、プログラムコード214にコンパイルされてもよく、以下のステップを含む。
【００１９】
ステップ３００：開始
ステップ３１０：複数のRATのうち第１のRATからMDT測定構成を受信する
ステップ３２０：MDT測定構成のタイマ値に対応するMDT測定ログ記録のタイマを開始する
ステップ３３０：モバイルデバイスが複数のRATのうち第１のRATから第２のRATに移動するためにinter-RAT手順を実行するときに、タイマを動作させ続ける、或いは、タイマを開始／再開する
ステップ３４０：終了
処理30によれば、RRC（radio  resource  control）接続モードのUEがログ記録持続時間タイマのタイマ値を含むMDT測定構成メッセージを受信すると、UEは、そのタイマ値を用いてログ記録持続時間タイマを開始する。ログ記録持続時間タイマが動作しているときにUEはMDT測定ログ記録を実行し、ログ記録持続時間タイマが終了したときにMDT測定ログ記録の実行を中止する点に留意すべきである。更に、RRC接続モード又はアイドルモードからのinter-RAT手順（例えば、inter-RATハンドオーバ、inter-RATセル変更命令、inter-RATセル選択又はinter-RATセル再選択）のため、UEが第１のRAT（例えば、UTRAN）から第２のRAT（例えば、E-UTRAN）に移動すると、UEは、ログ記録持続時間タイマを中止せず、ログ記録持続時間タイマを動作させ続ける。或いは、その中止後にログ記録持続時間タイマを開始／又は再開する。従って、RAT変更において無限のログ記録が回避され、これによりUEの電力を節約する。
【００２０】
本発明の概念を明確に理解するために、処理30に基づき例を挙げる。LTEシステムのUEは、E-UTRANからログ記録持続時間を含むIdleLoggingConfigurationメッセージを受信し、MDT測定ログ記録のタイマT330を開始する。この状況において、UEがE-UTRANからUTRAN、GERAN又はCDMA2000に移動すると、UEはタイマT330を中止せず、タイマT330を動作させ続ける。従って、タイマが終了した場合にMDT測定ログ記録は中止されない。これにより、無限のログ記録及びUEの電力及び記憶装置の浪費を回避する。或いは、UEはE-UTRANからUTRAN、GERAN又はCDMA2000に移動したときにタイマT330を中止し、再びタイマT330を開始してもよく、中止したタイマT330の残りのタイマ値を用いてタイマT330を再開してもよい。従って、UEは、タイマが終了したときにMDT測定ログ記録を終了し、UEの電力及び記憶装置が消耗するのを回避できる。
【００２１】
同様に、UMTSシステムのUEがUTRANからログ記録持続時間を含むMDT  LOGGING  CONFIGURATIONメッセージを受信すると、MDT測定ログ記録のタイマT326を開始する。この状況において、UEがUTRANからE-UTRAN、GERAN又はCDMA2000に移動すると、UEはタイマT326を中止せず、タイマT326を動作させ続ける。従って、タイマが終了した場合にMDT測定ログ記録は中止されない。これにより、無限のログ記録及びUEの電力及び記憶装置の浪費を回避する。或いは、UEはUTRANからE-UTRAN、GERAN又はCDMA2000に移動したときにタイマT326を中止し、再びタイマT326を開始してもよく、中止したタイマT326の残りのタイマ値を用いてタイマT326を再開してもよい。従って、UEは、タイマが終了したときにMDT測定ログ記録を終了し、UEの電力及び記憶装置が消耗するのを回避できる。
【００２２】
処理30に基づいて、ログ記録持続時間タイマ（例えば、T330又はT326）が動作し続けるため又はUEにより開始／再開されるため、RATの変更による無限のMDT測定ログ記録が回避される。
【００２３】
提示したステップを含む処理の前述のステップは、ハードウェア、ハードウェアデバイスとコンピュータ命令との組み合わせとして知られるファームウェア、又はハードウェアデバイス若しくは電子システムの読み取り専用ソフトウェアとして存在するデータでもよい手段により具現されてもよい点に留意すべきである。ハードウェアの例は、マイクロ回路、マイクロチップ又はシリコンチップとして知られるアナログ、デジタル及び混在回路を含んでもよい。電子システムの例は、SOC（system  on  chip）、SIP（system  in  package）、COM（computer  on  module）及び通信デバイス20を含んでもよい。
【００２４】
結論として、RATの変更におけるMDT測定ログ記録を処理する例及び手段が提供される。RATの変更のためログ記録持続時間タイマがUEにより中止された場合、UEは、ログ記録持続時間タイマを動作させ続ける、或いは、ログ記録持続時間タイマを開始／再開する。これにより、ログ記録持続時間タイマが終了したときに、MDT測定ログ記録が終了し、これにより、無限のログ記録によりUEの電力が消耗するのを回避する。
【００２５】
本発明の教示を保持しつつ、このデバイス及び方法の複数の変更及び変形が行われてもよいことを、当業者は容易に認識する。従って、前述の開示は、特許請求の範囲の境界によってのみ制限されるように解釈されるべきである。
【００２６】
この出願は、2010年11月2日に出願された“Methods  and  Apparatus  for  handling  MDT  logging  in  RAT  change  in  a  wireless  communication  system”という題の米国仮出願第61/409,125号の優先権を主張し、この全内容を援用する。
【符号の説明】
【００２７】
200  処理手段
210  記憶ユニット
214  プログラムコード
220  通信インタフェースユニット
【図１】
0005130393.tif 000002
【図２】
0005130393.tif 000003
【図３】
0005130393.tif 000004